(57)【要約】【課題】読み込みページ数が中綴じ限度枚数を超過して中綴じ冊子の作製が不可な場合においても、異なる後処理を選択して実行可能にする。【解決手段】入力された画像のページ順を並び替えて画像を合成し予め選択された冊子として出力する冊子作製手段と、冊子作製手段による冊子作製機能を選択するための冊子作成機能選択手段と、冊子作製手段により出力された冊子に中綴じ処理を可能にする後処理装置と、冊子作成手段による中綴じ処理が可能な用紙制限枚数を超えたか否かを判断する中綴じ限度枚数超過判断手段と、を備え、中綴じ限度枚数超過判断手段が中綴じ限度枚数を超えたと判断した時に、中綴じ処理を解除して、選択されていた用紙サイズの２分の１のサイズの用紙に変更し、入力手段による読み込みページ順、又はページ逆順に出力する。【選択図】        図５
2005001266.tif 000002
【特許請求の範囲】
【請求項１】
画像を入力するための入力手段と、
前記入力手段により入力された画像のページ順を並び替えて前記画像を合成し予め選択された冊子として出力する冊子作製手段と、
前記冊子作製手段による冊子作製機能を選択するための冊子作成機能選択手段と、
前記冊子作製手段により出力された冊子に中綴じ処理を可能にする後処理装置と、
前記冊子作成手段による中綴じ処理が可能な用紙制限枚数を超えたか否かを判断する中綴じ限度枚数超過判断手段と、を備え、
前記冊子作成機能選択手段によって前記冊子作成機能が選択されていて、且つ、前記中綴じ限度枚数超過判断手段が前記中綴じ限度枚数を超えたと判断した時に、前記冊子作製手段及び後処理装置を制御する制御手段は、前記冊子作成機能及び後処理装置の中綴じ処理を解除して、選択されていた用紙サイズの２分の１のサイズの用紙に変更し、前記入力手段による読み込みページ順、又は前記読み込みページ順の逆順に出力することを特徴とする画像形成装置。
【請求項２】
前記後処理装置は中綴じ処理と平綴じ処理が可能であり、前記入力手段による前記読み込みページ順、又は前記読み込みページ順の逆順に出力された用紙に対して平綴じ処理を実行することを特徴とする請求項１に記載の画像形成装置。
【請求項３】
前記冊子作成機能選択手段によって前記冊子作成機能が選択されていて、且つ、前記中綴じ限度枚数超過判断手段が前記中綴じ限度枚数を超えたと判断した時に、前記冊子作成機能を解除するか否かを選択可能であることを特徴とする請求項１に記載の画像形成装置。
【発明の詳細な説明】
【０００１】
【発明の属する技術分野】
本発明は、画像形成装置本体、後処理装置から成る画像形成装置に関し、特に、複数枚の用紙に中綴じ処理及び平綴じ処理を選択して処理する後処理装置を備えた画像形成装置に関するものである。
【０００２】
【従来の技術】
近年、複写機、プリンタ、これらの複合機等の画像形成装置本体により画像が記録された用紙を集積して複数枚で１セットになる用紙束に対して、後処理装置により中綴じ処理、中折り処理を行い週刊誌のような冊子に製本化する後処理装置を備えた画像形成装置が提供されている。
【０００３】
特許文献１に記載された印刷装置は、印刷ユニット、制御部で複数部数を印刷し、後処理部のステープルで綴じ止めするステープル印刷を行う場合には、先ず、全ページの印刷データを展開して得られた画像データを一旦、記憶装置に記憶し、この記憶データの印刷枚数がステープル可能枚数を超えたとき、印刷を開始する前に自動的にステープル機能を解除し、また、ステープル印刷中にエラーが発生した場合は、記憶装置に記憶されている画像データで再度印刷するものである。
【０００４】
特許文献２に記載された画像形成装置は、フィニッシャによるステープル処理を伴う印刷作業において、原稿読み取り作業及び印刷作業中に読み取り枚数及び印刷枚数がステープル許容枚数を超えると判断した場合に、１部目の印刷はステープル処理なしで行い、１部目の読み取り時に読み取った原稿枚数からステープル許容枚数内に収まる集約印刷手順を計算して、２部目以降は１部目と同様にステープル処理なしの印刷か、或いは、集約画像によるステープル処理を伴う印刷の何れを行うかを操作部に表示して選択可能な状態にするものである。
【０００５】
【特許文献１】
特開平１１−１５１８３７号公報
【０００６】
【特許文献２】
特開２００３−５７９９９号公報
【０００７】
【発明が解決しようとする課題】
従来の後処理装置を備えた画像形成装置では、以下の問題がある。
【０００８】
冊子作成機能選択中に中綴じ限度枚数（冊子限度枚数）を超過した時に、中綴じを解除して出力した場合に、ユーザーが手動操作で中折りをしないと、ページ順が合わなくなる。更に、中折りした用紙束にステープルを打針することはきわめて困難であった。
【０００９】
本発明はこのような問題を解決して、入力手段による読み込みページ数が、中綴じ限度枚数を超過して中綴じ冊子の作製が不可な場合においても、後処理を中断する事無く、入力手段による読み込みページ順、又は、読み込みページ順の逆順に出力し、後処理を選択して実行可能にする画像形成装置を提供する事を目的とする。
【００１０】
【課題を解決するための手段】
上記の目的は、本発明の後処理装置を備えた画像形成装置により達成される。
【００１１】
（１）  画像を入力するための入力手段と、前記入力手段により入力された画像のページ順を並び替えて前記画像を合成し予め選択された冊子として出力する冊子作製手段と、前記冊子作製手段による冊子作製機能を選択するための冊子作成機能選択手段と、前記冊子作製手段により出力された冊子に中綴じ処理を可能にする後処理装置と、前記冊子作成手段による中綴じ処理が可能な用紙制限枚数を超えたか否かを判断する中綴じ限度枚数超過判断手段と、を備え、前記冊子作成機能選択手段によって前記冊子作成機能が選択されていて、且つ、前記中綴じ限度枚数超過判断手段が前記中綴じ限度枚数を超えたと判断した時に、前記冊子作製手段及び後処理装置を制御する制御手段は、前記冊子作成機能及び後処理装置の中綴じ処理を解除して、選択されていた用紙サイズの２分の１のサイズの用紙に変更し、前記入力手段による読み込みページ順、又は前記読み込みページ順の逆順に出力することを特徴とする画像形成装置。
【００１２】
（２）  前記後処理装置は中綴じ処理と平綴じ処理が可能であり、前記入力手段による前記読み込みページ順、又は前記読み込みページ順の逆順に出力された用紙に対して平綴じ処理を実行することを特徴とする前記（１）に記載の画像形成装置。
【００１３】
（３）  前記冊子作成機能選択手段によって前記冊子作成機能が選択されていて、且つ、前記中綴じ限度枚数超過判断手段が前記中綴じ限度枚数を超えたと判断した時に、前記冊子作成機能を解除するか否かを選択可能であることを特徴とする前記（１）に記載の画像形成装置。
【００１４】
【発明の実施の形態】
本発明に係る画像形成装置本体Ａ、後処理装置ＦＳから成る画像形成装置を図面に基づいて説明する。
【００１５】
図１は画像形成装置の全体構成図である。
［画像形成装置］
図示の画像形成装置本体Ａは、入力手段１、画像処理部２、画像書込部３、画像形成部４、給紙カセット５Ａ，５Ｂ，５Ｃ、手差し給紙トレイ５Ｄ、第１給紙部６Ａ，６Ｂ，６Ｃ，６Ｄ，６Ｅ、第２給紙部６Ｆ、定着装置７、排紙部８、自動両面コピー給紙部（ＡＤＵ）８Ｂ、操作部９を備えている。
【００１６】
入力手段１には、原稿画像を走査露光して読み取る画像読取手段の画像入力信号、パソコン等からの画像入力信号、ネットワークからの外部入力信号、ファクシミリからの画像入力信号等が入力される。
【００１７】
画像形成装置本体Ａの上部には、自動原稿送り装置ＤＦが搭載されている。画像形成装置本体Ａの図示の左側面の排紙部８側には、後処理装置ＦＳが連結されている。
【００１８】
自動原稿送り装置ＤＦの原稿台上に載置された原稿ｄは矢印方向に搬送され画像読取部１の光学系により原稿の片面又は両面の画像が読みとられ、イメージセンサＣＣＤに読み込まれる。
【００１９】
ＣＣＤイメージセンサ１Ａにより光電変換されたアナログ信号は、画像処理部２において、アナログ処理、Ａ／Ｄ変換、シェーディング補正、画像圧縮処理等を行った後、画像書込部３に信号を送る。
【００２０】
画像書込部３においては、半導体レーザからの出力光が画像形成部４の感光体ドラム４Ａに照射され、潜像を形成する。画像形成部４においては、帯電、露光、現像、転写、分離、クリーニング等の処理が行われる。給紙カセット５Ａ〜５Ｃ、手差し給紙トレイ５Ｄ、大容量給紙装置ＬＣから第１給紙部６Ａ〜６Ｅにより給送された用紙Ｓは転写手段４Ｂにより画像が用紙Ｓに転写される。画像を担持した用紙Ｓは、定着装置７により定着され、排紙部８から後処理装置ＦＳに送り込まれる。或いは搬送路切換板８Ａにより自動両面コピー給紙部８Ｂに送り込まれた片面画像処理済みの用紙Ｓは再び画像形成部４において、両面画像処理後、排紙部８から排出される。
【００２１】
［用紙後処理装置］
後処理装置ＦＳは、入口搬送部１０、シフト処理搬送部２０、綴じ処理部３０、折り処理部５０、表紙給紙部６０及び排紙部から構成されている。排紙部は最上段の固定排紙皿７１、図示左側方の昇降排紙皿７２、底部近傍の冊子排紙皿７３から成る。
【００２２】
図２は、後処理装置ＦＳの用紙搬送経路を示す模式図である。
〈入口搬送部〉
入口搬送部１０の入口部１１を通過し、入口部ローラ１２に挟持搬送される用紙Ｓは、上段の第１搬送路▲１▼、中段の第２搬送路▲２▼、下段の第３搬送路▲３▼の３系統に分岐されていて、切換手段Ｇ１，Ｇ２の占める角度の選択により用紙Ｓが何れかの搬送路に給送される。
【００２３】
〈単純排紙〉（第１搬送路▲１▼）
この搬送モードに設定されると、切換手段Ｇ１は、第２搬送路▲２▼、第３搬送路▲３▼を遮断し、第１搬送路▲１▼のみを開放する。第１搬送路▲１▼を通過する用紙Ｓは、通路１３に進入し、搬送ローラ１４，１５に挟持されて上昇搬送され、排出ローラ１６に挟持されて固定排紙皿７１上に排出される。
【００２４】
〈シフト処理〉（第２搬送路▲２▼）
この搬送モードに設定されると、切換手段Ｇ１は通路１３を閉止し、通路１７を開放状態に保持し、用紙Ｓの通路１７の通過を可能にする。
【００２５】
用紙Ｓは、通路１７を通過して、搬送ローラ１８に挟持されて、切換手段Ｇ２の上方の第２搬送路▲２▼である通路２１を通過して、搬送ローラ２２に挟持され、通路２３を経て、シフト手段２４、シフトローラ２５に挟持され、排出ローラ２６により排出され、昇降可能な昇降排紙皿７２上に積載される。
【００２６】
〈平綴じ処理〉（第３搬送路▲３▼）
平綴じ処理又は中綴じ処理を施す用紙Ｓは、切換手段Ｇ１の下方の通路１７を通過して、搬送ローラ１８に挟持されて、第３搬送路▲３▼に搬送される。
【００２７】
第３搬送路▲３▼において、用紙Ｓは、切換手段Ｇ２の下方の通路３１を通過して、搬送ローラ３２，３３により挟持されて送り出され、綴じ処理部３０の傾斜配置された中間スタッカ３５の上方空間に排出され、中間スタッカ３５または中間スタッカ３５上に積載された用紙Ｓの上面に接し、滑走上昇したのち、搬送ローラ３３から用紙Ｓの進行方向後端部が排出されたのちには、用紙Ｓの自重により下降に転じ、中間スタッカ３５の傾斜面上を滑落し、搬送ローラ３４によって搬送されて、綴じ手段４０近傍の平綴じストッパ４１の用紙突き当て面に用紙Ｓの進行方向先端部が当接して停止する。
【００２８】
幅整合手段３６は用紙搬送方向と直交する方向に移動可能であり、用紙Ｓの幅揃えを行う。
【００２９】
この停止位置において、中間スタッカ３５上に所定枚数の用紙Ｓが積載、整合されると、綴じ手段４０により綴じ処理が行われ、用紙束が綴じ合わされる。
【００３０】
中間スタッカ３５の用紙積載面の下方には、排出ベルト３８が回動可能に配置されている。綴じ処理された用紙束は、排出ベルト３８の排出爪３８ａにより用紙Ｓの後端部を保持されて、排出ベルト３８上に載せられ、中間スタッカ３５の載置面上を滑走して斜め上方に押し上げられ、排出ローラ２６に挟持、搬送され、昇降排紙皿７２上に排出、積載される。
【００３１】
〈表紙給紙〉（第４搬送路▲４▼）
表紙給紙部６０の載置台６１上に載置された表紙Ｋは、表紙送り手段６２により給紙され、切換手段Ｇ１，Ｇ２を介して第２搬送路▲２▼又は第３搬送路▲３▼の搬送される。
【００３２】
〈中綴じ処理〉（第５搬送路▲５▼）
綴じ手段４０は、上部機構４０Ａと下部機構４０Ｂとの２分割構造に構成され、その中間に、用紙Ｓが通過可能な通路４２を形成している。
【００３３】
綴じ手段４０は、用紙搬送方向に直交する方向に２組配置され、図示しない駆動手段により、用紙搬送方向に直交する方向に移動可能である。この綴じ手段４０により、用紙幅方向の中央振り分け２箇所に綴じ針ＳＰを打つ（図３参照）。
【００３４】
中綴じモードに設定され、表紙Ｋ及び用紙Ｓのサイズ（搬送方向の長さ）が設定又は検知されると、中綴じストッパ４３は所定位置に移動して停止する。中綴じストッパ４３の起動に連動して平綴じストッパ４１が退避し、通路４２を開放する。
【００３５】
第３搬送路▲３▼を通過して、中間スタッカ３５上に載置された用紙Ｓが順次積載され、用紙Ｓの端部が中綴じストッパ４３に当接して位置決めされる。
【００３６】
最終の用紙Ｓが中間スタッカ３５上に位置決め載置された後、用紙Ｓの全頁から成る用紙束に綴じ手段４０による中綴じ処理を行う。この中綴じ処理により、用紙Ｓの搬送方向の中央部に綴じ針ＳＰが打ち込まれる。
【００３７】
〈中折り処理〉（第６搬送路▲６▼）
中綴じ処理後、中綴じストッパ４３が揺動して、通路４２の下流の通路を開放する。中綴じ処理された用紙束は、湾曲した通路と中間搬送ローラ５１を通過して、斜め下方の搬送ベルト５２と案内板５３とにより搬送され、更に、スタック台５４上を搬送されて、折り部可動ストッパ５５に用紙束の搬送方向の先端部が当接して、所定位置に停止する。折り部可動ストッパ５５は用紙サイズの設定又は検知と駆動手段により所定位置に移動可能である。
【００３８】
停止状態の用紙束の搬送方向の中央部、即ち中綴じ位置の斜め下方には、用紙突出手段５６が設置されている。中綴じ位置の斜め上方には、折りローラ５７、搬送ベルト５８、加圧ローラ５９が設置されている。
【００３９】
中折り開始信号により、用紙突出手段５６の突出板５６Ａが斜め上方に直進して、突出板５６Ａの先端部は、用紙束の中央部を押し上げ、用紙束を介して折りローラ５７のニップ部を押し広げて揺動、離間させる。
【００４０】
突出板５６Ａの先端部が前記ニップ部を通過後、突出板５６Ａが後退して、用紙束の中央部は、折りローラ５７により挟圧されて、折り目ａ（図３参照）が形成される。この折り目ａは、前述の中綴じ処理による用紙束への綴じ針ＳＰの打ち込み位置と一致する。
【００４１】
折りローラ５７により挟圧されて折り目ａを形成された冊子ＳＡ（図３参照）の中央部は、一対の搬送ベルト５８に挟持されて搬送され、一対の加圧ローラ５９のニップ位置に送り込まれ、この位置で折り目ａが更にしっかり付けられ、冊子排紙皿７３に送り込まれる。
【００４２】
［冊子のページ揃え］
図３（ａ）は用紙Ｓの中折りする折り目ａに沿って中央振り分け２箇所に綴じ針ＳＰを打針する中綴じ処理を示す用紙の平面図、図３（ｂ）は中綴じと中折りの後処理を施した冊子ＳＡの斜視図、図３（ｃ）は後処理済みの冊子ＳＡを両開きした状態を示す斜視図、図３（ｄ）は中綴じと中折りの後処理を施した冊子ＳＡの断面図である。
【００４３】
中綴じと中折りの後処理を施した冊子ＳＡは、用紙Ｓ１の第１面（ｐ１，ｐ８）を表面側に向け、用紙Ｓ１の裏面側に第２面（ｐ２，ｐ７）、更にその内側の中身である用紙Ｓ２の第１面（ｐ３，ｐ６）、用紙Ｓ２の内側の第２面（ｐ４，ｐ５）が配置され、図示のように８ページ（ｐ１〜ｐ８）から成る冊子ＳＡのページ揃えが形成される。
【００４４】
図４は、冊子機能選択時の印刷ページ順を示す平面図である。
自動原稿送り装置ＤＦ及び画像読取部１から成る入力手段により読み取られた原稿画像データ、或いはプリントコントローラ等の入力手段から入力される画像データは、画像形成装置の制御手段９０によって用紙Ｓの表裏面に図示のようなページ順に並び替えられて印刷され、排出される。
【００４５】
なお、図示の印刷ページ順は、２５枚の用紙Ｓ１〜Ｓ２５の表裏面５０ページ（ｐ１〜ｐ５０）に画像を形成した一例を示す。
【００４６】
図５（ａ）は、後処理装置ＦＳの冊子作成機能により１冊分の用紙Ｓの出力完了後、用紙Ｓを集積した状態を示す斜視図である。
【００４７】
図５（ｂ）は、１冊分の用紙Ｓに綴じ処理と折り処理を実施した状態を示す斜視図である。後処理装置ＦＳの綴じ処理部３０において用紙Ｓの中央部に中綴じ処理を行って綴じ針ＳＰを打針した後、折り処理部５０において用紙Ｓの中央部に中折り処理を行い折り目ａを形成し、二つ折りの冊子ＳＡを作製する。
【００４８】
［中綴じ限度枚数超過制御］
用紙束への中綴じ処理は、どんなに多い用紙枚数に対しても中綴じが出来るものではなく、用紙Ｓの紙質、厚さ綴じ針強度等により中綴じが可能な上限枚数がある。しかし、実際には、中綴じが可能な上限枚数を超える排紙枚数となる事がある。
【００４９】
中綴じが可能な上限枚数を超えた場合には、中綴じ処理、中折り処理を行う冊子作成機能を解除して、用紙Ｓのサイズを変更（例えば、Ａ３判をＡ４判に変更）し、入力手段の読み込みページ順に出力する。出力後の後処理は、中綴じから平綴じに切り換える。
【００５０】
図６（ａ）は画像形成装置本体Ａにより両面記録された用紙（Ｓ１〜Ｓ５０）の排紙順を示す平面図である。図６（ｂ）は後処理装置ＦＳの中間スタッカ３５上に積載された用紙（Ｓ１〜Ｓ５０）の斜視図である。
【００５１】
図６に示す用紙Ｓの排紙は、画像第１面を下側にするフェースダウンであるが、画像第１面を上側にするフェースアップの場合では、画像形成装置本体Ａにより両面記録された用紙Ｓを最終ページから順に排出し、後処理装置ＦＳに導入する。
【００５２】
中間スタッカ３５上に積載された用紙（Ｓ１〜Ｓ５０）は、搬送方向及び幅方向の整合処理を実施された後、綴じ手段４０により平綴じ処理され綴じ針ＳＰが打針される（図２参照）。
【００５３】
［操作部］
図７〜図１０は、本発明の冊子作製手段である操作部９の表示例である。操作部９には、冊子作製機能選択手段９１、中綴じ機能選択手段９２、冊子機能解除時の基本画面９３、冊子機能解除選択手段９４が切換可能に表示される。
【００５４】
図７は冊子作製機能選択手段９１の正面図である。この操作部９の基本画面（図９参照）９３の応用機能を選択設定し、冊子キーにより冊子作製を選択設定する。
【００５５】
図８は中綴じ機能選択手段９２の正面図である。この操作部９のフィニシャモードのうち、中綴じキーにより中綴じを選択設定する。
【００５６】
図９は冊子機能解除時の基本画面９３の正面図である。基本画面９３に、冊子機能を解除した事が表示される。
【００５７】
図１０は冊子機能解除選択手段９４の正面図である。画面に中綴じ処理の上限枚数に達した事と冊子作製解除が表示される。
【００５８】
図１１は、画像形成装置の全体回路のブロック図、図１２は、中綴じ限度枚数超過判断制御を示すフローチャートである。
【００５９】
画像読取部（スキャナ部）１のイメージセンサＣＣＤは制御手段９０の読取処理部に接続し、画像書込部３のレーザダイオードは制御手段９０の書込処理部に接続している。読取処理部と書込処理部に入力されたデータは、ＤＲＡＭ制御ＩＣ、圧縮伸張ＩＣを介して画像メモリ（ＤＲＡＭ）の圧縮メモリに記憶される。
【００６０】
スキャナ制御部、ＤＦ制御部、冊子機能選択手段９１及び冊子機能解除選択手段９４を有する操作部制御部は、シリアル通信手段を介して制御手段９０の画像制御ＣＰＵに接続している。
【００６１】
操作部９の中綴じ機能選択手段９２は、ＦＳ制御部、プリンタ制御部に接続し、シリアル通信手段を介して制御手段９０の画像制御ＣＰＵに接続している。
【００６２】
画像形成開始時に、制御手段９０は、画像読取部で１で原稿画像が全て読み込まれた後に、冊子機能制御及び中綴じ限度枚数超過判断制御を実行する。
【００６３】
冊子作成機能選択手段９１によって冊子作成機能が選択されていて（Ｓ１０１）、且つ、中綴じ限度枚数超過判断手段９５が中綴じ限度枚数を超えたと判断した時に（Ｓ１０２）、入力手段により中綴じ上限枚数Ｎ１を取得し（Ｓ１０３）、更に、入力手段により画像入力ページ数Ｎ２を取得し（Ｓ１０４）する。
【００６４】
また、冊子作成機能選択手段９１によって冊子作成機能が選択されていて、且つ、中綴じ限度枚数超過判断手段９５が中綴じ限度枚数を超えたと判断した時に、冊子作成機能を解除するか否かを選択可能である。
【００６５】
即ち、中綴じ限度枚数が超過すると、中綴じ上限枚数Ｎ１を取得し、更に、画像入力ページ数Ｎ２を取得して、Ｎ１がＮ２の４分の１未満の場合（Ｎ１＜Ｎ２÷４）には（Ｓ１０５）、中綴じ上限判断有りとして（Ｓ１０６）、冊子作成機能を解除して中綴じを中断して、平綴じ処理を選択する。
【００６６】
制御手段９０は冊子作成機能を変更して、選択されていた用紙サイズの２分の１のサイズの用紙を選択するように設定し（Ｓ１０７）、入力手段による読み込みページ順、又は読み込みページ順の逆順に出力して印刷し（Ｓ１０８）、平綴じ処理を選択して実行する（Ｓ１０９）。
【００６７】
中綴じ上限枚数Ｎ１が画像入力ページ数Ｎ２の４分の１を超える場合（Ｎ１＞Ｎ２÷４）には、中綴じ上限判断無しとして（Ｓ１１０）、ページ順を並び替え（Ｓ１１１）、中綴じ処理（Ｓ１１３）と中折り処理（Ｓ１１４）から成る冊子作成機能を実行する。なお、入力ページ数（Ｎ２）÷４は、１枚の用紙Ｓの両面に画像を形成した後、中折り処理を行い、見開きの４ページの冊子を形成したものである。
【００６８】
【発明の効果】
本発明の画像形成装置により以下の効果が得られる。
【００６９】
（１）  冊子作成機能が選択されて中綴じ冊子作成処理の実行中に、中綴じ上限枚数を超過した場合に、ユーザーが中綴じ未処理の用紙束に中綴じと中折り作業を行う煩わしさが解消される。
【００７０】
（２）  中綴じ上限枚数を超過した場合に、選択されていた用紙サイズの２分の１のサイズの用紙に変更し、入力手段による読み込みページ順、又は読み込みページ順の逆順に出力して、出力された用紙に対して平綴じ処理に切り換えて実行する事により、綴じ処理を停止させる事無く、両面印刷用紙の後処理を継続して実行することが可能である。
【図面の簡単な説明】
【図１】画像形成装置本体、小口断裁装置、後処理装置を備えた画像形成装置の全体構成図。
【図２】後処理装置の用紙搬送経路を示す模式図。
【図３】中綴じ処理した用紙の平面図、中綴じと中折りの後処理を施した冊子の斜視図、冊子を両開きした状態を示す斜視図、冊子の断面図。
【図４】冊子機能選択時の印刷ページ順を示す平面図。
【図５】後処理装置の冊子作成機能により１冊分の用紙を集積した状態を示す斜視図、及び１冊分の用紙に綴じ処理と折り処理を実施した状態を示す斜視図。
【図６】両面記録された用紙の排紙順を示す平面図、及び後処理装置の中間スタッカ上に積載された用紙の斜視図。
【図７】操作部の冊子作製機能選択手段の正面図。
【図８】操作部の中綴じ機能選択手段の正面図。
【図９】冊子機能解除時の基本画面の正面図。
【図１０】冊子機能解除選択手段の正面図。
【図１１】画像形成装置の全体回路のブロック図。
【図１２】中綴じ処理の制御を示すフローチャート。
【符号の説明】
１  入力手段（画像読取部）
２  画像処理部
３  画像書込部
４  画像形成部
９  操作部
３０  綴じ処理部
４０  綴じ手段
５０  折り処理部
９０  制御手段
９１  冊子作製機能選択手段
９２  中綴じ機能選択手段
９３  基本画面
９４  冊子機能解除選択手段
９５  中綴じ限度枚数超過判断手段
Ａ  画像形成装置本体
ＤＦ  自動原稿送り装置
ＦＳ  後処理装置
ＬＣ  大容量給紙装置
Ｓ，Ｓ１，Ｓ２  用紙
ＳＡ  冊子
ＳＰ  綴じ針
【図１】
2005001266.tif 000003
【図２】
2005001266.tif 000004
【図３】
2005001266.tif 000005
【図４】
2005001266.tif 000006
【図５】
2005001266.tif 000007
【図６】
2005001266.tif 000008
【図７】
2005001266.tif 000009
【図８】
2005001266.tif 000010
【図９】
2005001266.tif 000011
【図１０】
2005001266.tif 000012
【図１１】
2005001266.tif 000013
【図１２】
2005001266.tif 000014